(57)【要約】      （修正有）【課題】比較的広い応用範囲を有し、構造が簡単で、操作が便利で、使用及び収納がしやすい取り外し可能な調理容器用取っ手を提供する。【解決手段】取り外し可能な調理容器用取っ手であって、取っ手本体と、可動把持部材４と固定把持部材からなるクランプ機構が設けられ、固定把持部材は、取っ手本体上の一部分又は取っ手本体に対して固定接続された部材であり、取っ手本体内に縦方向に設置された摺動溝３があり、可動把持部材は摺動溝内に縦方向に摺動可能に設置されている。取っ手本体上に回転操作部５が設置され、取っ手本体と可動把持部材との間に、回転操作部に接続された摺動駆動機構６が設置され、回転操作部を回すことで、摺動駆動機構により、可動把持部材の長手方向における摺動を実現し、クランプ機構を調理容器の本体外周を把持する閉状態、又は解除して調理容器から取り外すことのできる開状態にさせる。【選択図】図２
0003235465.tif 000002
【実用新案登録請求の範囲】
【請求項１】
調理容器に対して、可動把持部材と固定把持部材からなるクランプ機構により、調理容器の本体外周を把持し、及び、解除して調理容器から取り外すことのできる取り外し可能な調理容器用取っ手であって、
取っ手本体と、前記可動把持部材と固定把持部材からなるクランプ機構が設けられ、
前記固定把持部材は、前記取っ手本体上の一部又は前記取っ手本体に対して固定接続された部材であり、
前記取っ手本体内に縦方向に設置された摺動溝があり、前記可動把持部材は前記摺動溝内に縦方向に摺動可能に設置されている；
前記取っ手本体上に回転操作部が設置され、
前記取っ手本体と前記可動把持部材との間に、前記回転操作部に接続された摺動駆動機構が設置され、前記回転操作部を回すことで、前記摺動駆動機構により、前記可動把持部材の取っ手長手方向における摺動を実現し、
前記クランプ機構を前記調理容器の本体外周を把持する閉状態、及び、解除して調理容器から取り外すことのできる開状態の間で切り替えさせることを特徴とする、前記取り外し可能な調理容器用取っ手。
【請求項２】
前記摺動駆動機構の底部は、二つの交差する方向上において、異なる径方向長さを有することを特徴とする、請求項１に記載の取り外し可能な調理容器用取っ手。
【請求項３】
前記摺動駆動機構は階段状に設計され、
下段の底部は、楕円形または略楕円形であり、一つの長軸と一つの短軸を有することを特徴とする、請求項２に記載の取り外し可能な調理容器用取っ手。
【請求項４】
前記可動把持部材上に、前記摺動駆動機構と連動する位置調整機構が設置され、
前記位置調整機構は、固定部材により前記可動把持部材上に取り付けられている；
前記クランプ機構を前記閉状態に閉じさせるプロセスにおいて、
前記摺動駆動機構の回転により、前記位置調整機構が後方に移動するように駆動され、これにより前記可動把持部材が後方、即ち前記固定把持部材に近づく方に移動するように駆動されることを特徴とする、請求項１〜３のいずれかに記載の取り外し可能な調理容器用取っ手。
【請求項５】
前記位置調整機構は回転リール構造であり、内輪及び外輪を有する；
前記内輪は回転せず、固定部材を取り付けるために用いられ、前記可動把持部材上に固定される；
前記外輪は前記摺動駆動機構の作用により、動かされて回転することを特徴とする、請求項４に記載の取り外し可能な調理容器用取っ手。
【請求項６】
さらに、ストッパー部材を有する安全ロック機構が設けられ、
前記ストッパー部材により、前記可動把持部材の前方、即ち前記固定把持部材から遠ざかる方への移動が阻止され、これにより前記取っ手の前記クランプ機構が開くことを阻止することを特徴とする、請求項１〜５のいずれかに記載の取り外し可能な調理容器用取っ手。
【請求項７】
前記安全ロック機構は、前記取っ手本体に取り付けられた前記ストッパー部材を有し、前記可動把持部材上にストッパー溝が設けられている；
前記ストッパー部材の片端が前記ストッパー溝内に入り込むと、前記可動把持部材が前方、即ち前記固定把持部材から遠ざかる方に移動することが阻止される；
前記ストッパー部材の他端を動かす、または押圧することにより、前記ストッパー部材を前記ストッパー溝から外れるようにすることにより、前記安全ロックを解除し、前記可動把持部材の移動制限を解除できることを特徴とする、請求項６に記載の取り外し可能な調理容器用取っ手。
【請求項８】
さらに、前記回転操作部の下面には突起部収容用位置決め溝が設置され、前記取っ手の上部本体には回転操作部収容用キャビティが設置され、前記回転操作部の下面と接触することになる、前記回転操作部収容用キャビティの上面には、位置決め用突起部が設置されている；
前記回転操作部を回転させる際、前記位置決め用突起部は、前記突起部収容用位置決め溝中で移動することを特徴とする、請求項１〜７のいずれかに記載の取り外し可能な調理容器用取っ手。
【請求項９】
前記回転操作部の下面に第一のバネ溝が設置され、及び／又は、前記取っ手本体に前記の第二のバネ溝が設置され、
前記第一のバネ溝及び／又は第二のバネ溝中にバネが配置され、前記バネは前記回転操作部に対して復位するための弾性力を提供することを特徴とする、請求項１〜８のいずれかに記載の取り外し可能な調理容器用取っ手。
【請求項１０】
前記可動把持部材及び前記固定把持部材の、前記調理容器の本体外周と接触する面は、前記調理容器の本体を安定的に把持できるよう、湾曲しているものであることを特徴とする、請求項１〜９のいずれかに記載の取り外し可能な調理容器用取っ手。
【請求項１１】
前記調理容器は、鍋であることを特徴とする、請求項１〜１０に記載の取り外し可能な調理容器用取っ手。
【請求項１２】
前記回転操作部は、回転レバーまたは回転ハンドル、回転ボタンであることを特徴とする、請求項１〜１１に記載の取り外し可能な調理容器用取っ手。
【考案の詳細な説明】
【技術分野】
【０００１】
本実用新型は日用品の技術分野に関し、特に摺動駆動機構を有する取り外し可能な調理容器用取っ手に関するものである。
【背景技術】
【０００２】
鍋は人々の日常生活に一般的に使用される調理容器である。従来技術における鍋は概ね二つのタイプがある：第一のタイプは、取っ手付きの鍋であり、取っ手と鍋本体が一体に固定され、構造が堅固であるが収納に不便で、インテリジェント化の食器洗浄機において使用することができない。もう一つのタイプは、取っ手のない鍋であり、人々はこのような鍋を持ち上げる際に通常はクッション材を使用して、やけどを回避する必要があり、使用は比較的不便であり、また、ひっくり返してやけどをもたらす等の安全上のリスクがある。
【０００３】
従来技術において、いくつかの取り外し可能な調理容器用取っ手が開発され、使用者が取り外し可能な調理容器用取っ手と、調理容器を一体にするか又は分離させることを可能し、概ね、二つのタイプがある：一部の取り外し可能な調理容器用取っ手は、鍋に取っ手連結部品を固定する必要があり、取っ手連結部品により鍋と取っ手を連結させる。操作は便利であるが、鍋に取っ手連結部材を設置する必要がある。もう一部の取り外し可能な調理容器用取っ手は、調理容器の本体の外壁に併せて使用できるクランプ機構を有することにより、応用できる範囲を広げている。
【考案の概要】
【０００４】
本実用新案は取り外し可能な調理容器用取っ手を提供し、調理容器に対して、可動把持部材（クランプレーキ）と固定把持部材からなるクランプ機構により、調理容器の本体外周を把持し、及び、解除して調理容器から取り外すことのできる取り外し可能な調理容器用取っ手であって、
取っ手本体と、前記可動把持部材と固定把持部材からなるクランプ機構が設けられ、
前記固定把持部材は、前記取っ手本体上の一部又は前記取っ手本体に対して固定接続された部材であり、
前記取っ手本体内に縦方向に設置された摺動溝があり、前記可動把持部材は前記摺動溝内に縦方向に摺動可能に設置されている；
前記取っ手本体上に回転操作部が設置され、
前記取っ手本体と前記可動把持部材との間に、前記回転操作部に接続された摺動駆動機構が設置され、前記回転操作部を回すことで、前記摺動駆動機構により、前記可動把持部材の取っ手長手方向における摺動を実現し、
前記クランプ機構を前記調理容器の本体外周を把持する閉状態、又は解除して調理容器から取り外すことのできる開状態の間で切り替えさせる。
【０００５】
さらに、前記摺動駆動機構の底部は、二つの交差する方向上において、異なる径方向長さを有する。
【０００６】
さらに、前記摺動駆動機構は階段状に設計され、下段の底部は、楕円形または略楕円形であり、一つの長軸と一つの短軸を有する。
【０００７】
さらに、前記可動把持部材上に、前記摺動駆動機構と連動する位置調整機構が設置され、
前記位置調整機構は、固定部材により前記可動把持部材上に取り付けられている；
前記クランプ機構を前記閉状態に閉じさせるプロセスにおいて、
前記摺動駆動機構の回転により、前記位置調整機構が後方に移動するように駆動され、これにより前記可動把持部材が後方、即ち前記固定把持部材に近づく方に移動するように駆動される。
【０００８】
例えば、前記位置調整機構は回転リール構造であり、内輪及び外輪を有する；
前記内輪は回転せず、固定部材を取り付けるために用いられ、前記可動把持部材上に固定される；
前記外輪は前記摺動駆動機構の作用により、動かされて回転する。
【０００９】
さらに、ストッパー部材を有する安全ロック機構が設けられ、
前記ストッパー部材により、前記可動把持部材の前方、即ち前記固定把持部材から遠ざかる方への移動が阻止され、これにより前記取っ手の前記クランプ機構が開くことを阻止する。
【００１０】
例えば、前記安全ロック機構は、前記取っ手本体に取り付けられた前記ストッパー部材を有し、前記可動把持部材上にストッパー溝が設けられている；
前記ストッパー部材の片端が前記ストッパー溝内に入り込むと、前記可動把持部材が前方、即ち前記固定把持部材から遠ざかる方に移動することが阻止される；
前記ストッパー部材の他端を動かす、または押圧することにより、前記ストッパー部材を前記ストッパー溝から外れるようにすることにより、前記安全ロックを解除し、前記可動把持部材の移動制限を解除できる。
【００１１】
さらに、前記回転操作部の下面には突起部収容用位置決め溝が設置され、前記取っ手の上部本体には回転操作部収容用キャビティが設置され、前記回転操作部の下面と接触することになる、前記回転操作部収容用キャビティの上面には、位置決め用突起部が設置されている；
前記回転操作部を回転させる際、前記位置決め用突起部は、前記突起部収容用位置決め溝中で移動する。
【００１２】
さらに、前記回転操作部の下面に第一のバネ溝が設置され、及び／又は、前記取っ手本体に前記の第二のバネ溝が設置され、前記第一のバネ溝及び／又は第二のバネ溝中にバネが配置され、前記バネは前記回転操作部に対して復位するための弾性力を提供する。
【００１３】
さらに、前記可動把持部材及び前記固定把持部材の、前記調理容器の本体外周と接触する面は、前記調理容器の本体を安定的に把持できるよう、湾曲しているもの。
前記調理容器は、例えば鍋である。
前記回転操作部は、例えば回転レバーまたは回転ハンドル、回転ボタンである。
【００１４】
本実用新型の摺動駆動機構を有する取り外し可能な調理容器用取っ手の有益な効果は以下のとおりである：
１、縦方向に沿って摺動するクランプレーキを設けることにより、該取っ手は市販されている異なる厚さ、鍋の縁部の有無、及び、鍋縁の大小が異なる鍋に取り付けて使用することができ、広い応用範囲を有する。
２、回転操作部（回転レバー）、摺動駆動機構及び位置調整機構を設け、回転操作部を回すことにより摺動駆動機構が作動し、摺動駆動機構と位置調整機構の連動によりクランプレーキ（クランプ機構）の縦方向における移動を実現する。
３、安全ロックを設置することにより、閉状態をより堅固にし、比較的重い鍋及び食品を持ち上げる場合であっても容易に落下しにくい。且つ、ストッパー構造を有する安全ロック構造は簡単で、操作しやすい。
４、該取っ手は構造が簡単で、クランプ機構を開閉するための回転操作部（回転レバー）は取っ手本体の上部に設けられ、操作が便利で、使用及び収納しやすい。
【図面の簡単な説明】
【００１５】
【図１】本実用新案の第一実施例の斜視図である、
【図２】本実用新案の第一実施例の分解図である。
【図３】本実用新案の第一実施例の側面断面図である。
【図４】本実用新案の第一実施例の摺動駆動機構部分の分解詳細図である。
【図５】本実用新案の第一実施例の摺動駆動機構部分の平面詳細図である。
【図６】本実用新案の第一実施例の回転レバー部分の分解詳細図である。
【図７】本実用新案の第二実施例の閉状態を示した図である。
【図８】本実用新案の第二実施例が完全に開いた状態を示した図である。
【図９】本実用新案の第二実施例の分解図である。
【図１０】本実用新案の第二実施例が閉状態にある際の内部構造模式図である。
【図１１】本実用新案の第二実施例の安全ロックがクランプ機構をロックした状態の構造模式図である。
【図１２】本実用新案の第二実施例の取っ手が完全に開いた状態の内部構造模式図である。
【図１３】本実用新案の第二実施例の取っ手の回転レバーの構造模式図である。
【考案を実施するための形態】
【００１６】
以下に図面を参照して本実用新案の実施例を詳細に説明することにより、本実用新案の長所及び特徴を当業者により理解されやすいようにする。
【００１７】
本実用新案の説明において、以下のように理解すべきである。用語「上」、「下」、「左」、「右」、「前」、「後」、「水平」、「垂直」、「内」、「外」などの示す方位、又は位置関係は、図面に示す方位又は位置関係に基づくものであり、本実用新案を説明しやすくするためのものであり、対象の構造又は部品が、特定の方位を有し、特定の方位の構造及び操作を指すか又は示唆するものではなく、そのため、本実用新案を制限するものとして理解することはできない。
【実施例１】
【００１８】
図１〜図６に示すように、摺動駆動機構を有する取り外し可能な調理容器用取っ手は、以下を含む：固定接続された取っ手上部本体（ｕｐｐｅｒ  ｂｏｄｙ）１及び取っ手下部本体（ｌｏｗｅｒ  ｂｏｄｙ）２、両者の間に設置され縦方向に沿って摺動可能なクランプレーキ４、取っ手上部本体１に設置された回転レバー５、取っ手上部本体１とクランプレーキとの間に設置された回転レバー５と連動して回転する摺動駆動機構６、クランプレーキ４上に設置され摺動駆動機構６と連動する位置調整機構７を含む。回転レバー５を回転させることにより、摺動駆動機構６は位置調整機構７が縦方向に沿って移動するように駆動し、且つレーキ４の縦方向移動を実現し、これにより取っ手を「開」状態から鍋を挟持する「閉」状態に入らせ、またはその逆である。また、バネ４２はクランプレーキ４の後側に位置し、取っ手が「閉」状態にある場合、バネ４２は押圧される。
【００１９】
回転レバーの回転について以下のように説明する。回転レバー５の下面に突起部収容用位置決め溝５１が設けられている。それに対応じて、取っ手の上部本体１に回転レバー収容用キャビティが設けられている。回転レバー収容用キャビティ内に位置決め用突起部１１が設置され、回転レバー５を回す際に位置決め用突起部１１が突起部収容用位置決め溝５１内で移動する。例えば、回転レバー５はレバー状である。例えば、位置決め用突起部１１は一つ又は二つある。回転レバー５のレバーは時計回り又は反時計回りに９０度回転することができる。
【００２０】
摺動駆動機構（回転コンポーネント）の回転について以下のように説明する。図６に示すように、摺動駆動機構６は段状に設計され、摺動駆動機構６の上段６１は好ましくは全体が方形（四角形）であり、回転レバー５に嵌め込まれ、対応するように、回転レバー５の下面（下の表面）には上段６１を収容する方形キャビティを有する。摺動駆動機構６の下段６２は二つの異なる方向、例えば交差する方向上に異なる径方向長さを有する。例えば、互いに垂直となる二つの方向に異なる径方向長さを有し、一辺が長く、一辺が短い。二つの異なる（例えば垂直）方向の間に好ましくは円弧状であり、すなわち下段６２の一部の外縁は弧状である。例えば、下段６２は全体として楕円形又は略楕円形を呈し、真ん中が大きく両端が小さい。取っ手が開状態にある場合、位置調整機構７は下段６２の径方向の短い部分（例えば楕円の短軸方向）に接触し、回転レバー５を回転する過程で位置調整機構は下段６２の円弧面に押されて右方向に移動し、クランプレーキ４全体が右向きに移動するように駆動し、取っ手が鍋本体をしっかり挟持する閉状態になるようにする。
【００２１】
好ましくは、下段６２の両端にいずれも平面又は内凹面が設置され、位置調整機構７が滑ることを防止できる。例えば径方向の長い部分の一端又は両端に平坦部又は内凹面が設けられている。例えば楕円長軸の両端に平坦又は内凹の端面６３が設けられている。
【００２２】
また、好ましい設計において、下段６２の径方向が長い部分（例えば楕円の長軸方向）は回転レバー５のレバー５５と、方向と一致するか又は互いに垂直である。例えば、レバー５５が取っ手の縦方向に沿って右向きに回転する場合、位置調整機構７は下段６２の径方向の長い部分（例えば楕円の長軸方向）に接触し、取っ手のクランプ機構は閉状態にある；回転レバー５５は時計回り又は反時計回りに回転し（例えば９０度回転し、又はユーザーはレバー５５をわずかに回転させるだけでバランスが壊され、バネの力の作用により取っ手は続けて開かれる）、位置調整機構７は摺動して下段６２の径方向の短い部分（例えば楕円の短軸方向）に接触し、取っ手は開状態になる。
【００２３】
位置調整機構の運動について以下のように説明する。位置調整機構７はレーキ４に取り付けられ、例えば固定部材（例えバネジ）によりレーキ４に取り付けられる。本明細書において、下段６２が回転する過程で、位置調整機構７を右向きに移動するように駆動することができ、これによりレーキ４が右向きに移動するように駆動すればよい。摺動駆動機構６位置調整機構７との間の連動をよりスムーズにするために、位置調整機構７は回転リールであってもよく、回転式の摺動駆動機構が回転する時、摺動駆動機構６の接触作用で、位置調整機構７の外周も回転する。例えば、該位置調整機構７の回転リールは内輪及び外輪を有することができる。内輪は回転せず、固定部材（例えバネジ）を取り付けるために用いられ、レーキ４にしっかり固定される。外輪は摺動駆動機構に伴って回転し、摺動駆動機構６の回転中の摩擦力を減少させるために用いられる。
【００２４】
レーキの伸出距離の位置決めについて以下のように説明する。取っ手下部本体２上に、縦方向に設置された摺動溝３が設けられ、クランプレーキ４が摺動溝３内に設置され、クランプレーキ４の右端に位置決めフック４１が設置され、摺動溝３の右端に位置決め溝３１が設置され、位置決め溝３１はレーキ４が外に伸びる最大距離を制限する（図３を参照する）。
【００２５】
回転レバーの回転位置の位置決めについて以下のように説明する。位置決めステップ５２にボールキャビティが設置され、ボールキャビティ内に位置決めボール５３及び位置決めボール５３を制限するボールバネ５４が設置され、回転レバー収容用キャビティ内に回転レバー５の開閉位置を制限する三つのボール位置決め溝１２が設置され、回転レバー５のレバー５５が縦方向に位置する場合、位置決めボール５３がボール位置決め溝１２内に嵌め込まれる（図６及び図３を参照する）。回転レバー５を回転すると、位置決めボール５３がボール位置決め溝１２から滑り出し、ボールバネ５４が圧縮される。
【実施例２】
【００２６】
実施例２の大半の構造は実施例１と類似するが、実施例１と異なる位置決め構造を使用し、さらには安全ロックの構造を提供している。
【００２７】
図９〜図１２に示すように、レーキ４の左側に位置決め孔溝４１を設置することができる。取り付けた後、ネジ１５は位置決め孔溝４１内に配置され、これによりクランプレーキ４が外向きに伸びる最大距離を制限する。
【００２８】
図７〜図１２はさらに安全ロックの構造を示し、ストッパー構造により、クランプレーキ４に対するロックを実現する。
【００２９】
該安全ロックはストッパー部材９を有し、例えば（ピン９１により）上部本体１と下部本体２との間に取り付けられる。例えばレーキ４（例えば後側）にストッパー溝１０が設置される。ロック状態で、例えばバネ１７の作用力で、ストッパー部材９の一端９２がストッパー溝１０内に入り込み、レーキ４が前方に移動することを阻止する。ストッパー部材９の他端９３を動かす／押圧することにより、ストッパー部材９をストッパー溝１０から外れることができ、それにより安全ロックが解除される。
【００３０】
例えば、ストッパー部材９は二つあり、それぞれ取っ手本体の両側に取り付けられる。対応するストッパー溝１０も二つ有することができる。二つのクランプ機構材９の間にバネ１７、例えば圧縮されたバネ１７が取り付けられている。
【００３１】
取っ手が開かれた状態からロック状態になるプロセスは以下である：レバー５５を回し、摺動駆動機構６が回転するように駆動し、位置調整機構７及びレーキ４が後向きに移動するように駆動する。ストッパー溝１０が後ろ向きにストッパー部材の後端９２の位置に移動した場合、ストッパー部材の後端９２はバネ１７の作用力でストッパー溝１０内に自然に入り込み、それにより閉じられかつロックされ、図１０を参照する。
【００３２】
閉じてロックする状態から完全に開くまでのプロセスは以下のとおりである：まず回転レバーを開き、次に安全ロックを開く。レバー５５を回すことにより、摺動駆動機構６が回転するように駆動し、図１１の半開状態に達する。この時、バネ４２の作用力で、レーキ４は前方に押し出される傾向があるが、レーキ４は安全ロックストッパー部材９の干渉を受け、移動を停止し、半開放状態になる。その後、安全ロックストッパー部材９を押下し、ストッパー９をストッパー溝１０から離脱させることにより、レーキ４をストッパー部材９の干渉から離脱し、レーキ４がバネ４２の作用力で、完全に開く。
【００３３】
また、図１３に示すように、回転レバー５の回転について、回転レバー５の下面にバネ溝３−２が設置されてもよい。対応するように、取っ手本体１にバネ溝１−２が設置される。回転レバー５を回す時、内蔵バネ１９は溝内で移動する。内蔵されているバネの存在により、回転レバーの位置が外力に拘束されない時、自動的に復位する（リセットする）ことができる。
【実施例３】
【００３４】
実施例１又は実施例２に基づいて、さらに好ましくは以下のとおりである：
【００３５】
クランプレーキ４の左端と取っ手下部本体２の左端はいずれも凹んでいる（湾曲）設計であり、その凹面はいずれも左向きであり、取っ手が閉状態にある時、取っ手下部本体２の左端は鍋の外壁に接触し、クランプレーキ４の右端は鍋の内壁に接触し、凹みは鍋本体の面に適応し、鍋具を安定的に挟持することができる。
【００３６】
例えば、取っ手下部本体２はネジにより取っ手上部本体１に固定接続され、取っ手下部本体２にさらに保護スリーブ２９が設置され、取っ手の上下部本体を接続するネジを封止するために用いられる。
【００３７】
例えば、クランプレーキ４の左端にさらにシリコーンカバー４３が設置され、シリコーンカバー４３の鍋本体に接触する側は歯状設計であり、さらに挟持安定性を向上させることができる。
【符号の説明】
【００３８】
１  取っ手上部本体（ｕｐｐｅｒ  ｂｏｄｙ）
２  取っ手下部本体（ｌｏｗｅｒ  ｂｏｄｙ）
３  摺動溝（ｌｏｎｇｉｔｕｄｉｎａｌ  ｐａｓｓａｇｅ）
４  クランプレーキ（ｃｌａｍｐｉｎｇ  ｒａｋｅ）
５  回転操作部（ｒｏｔａｔａｂｌｅ  ａｃｔｕａｔｏｒ）
６  摺動駆動機構（ｒｏｔａｔｉｎｇ  ｓｕｂａｓｓｅｍｂｌｙ）
７  位置調整機構（ｄｉｓｋ）
９  ストッパー部材（ｌｏｃｋｉｎｇ  ｂａｒ）
１０  ストッパー溝（ｌｏｃｋｉｎｇ  ｇｒｏｏｖｅ）
１１  突起部（ｐｏｓｉｔｉｏｎｉｎｇ  ｃｏｎｖｅｘ  ｂｕｌｇｅ）
１２  位置決め溝（ｐｏｓｉｔｉｏｎｉｎｇ  ｈｏｌｅｓ）
１５  ネジ（ｓｃｒｅｗ）
１７  バネ（ｓｐｒｉｎｇ）
１９  バネ（ｓｐｒｉｎｇ）
２９  保護スリーブ（ｓｈｅａｔｈ）
３１  位置決め溝（ｇｒｏｏｖｅ）
４１  位置決めフック（ｈｏｏｋ）
４２  バネ（ｓｐｒｉｎｇ）
４３  シリコーンカバー（ｓｉｌｉｃｏｎｅ  ｓｈｅａｔｈ）
５１  突起部収容用位置決め溝（ｐｏｓｉｔｉｏｎｉｎｇ  ｇｒｏｏｖｅ）
５２  位置決めステップ（ｐｏｓｉｔｉｏｎｉｎｇ  ｓｔｅｐ）
５３  位置決めボール（ｐｏｓｉｔｉｏｎｉｎｇ  ｂａｌｌ）
５４  ボールバネ（ｓｐｒｉｎｇ）
５５  レバー（ｈａｎｄｌｅ）
６１  上段（ｔｏｐ  ｓｔｅｐ）
６２  下段（ｂｏｔｔｏｍ  ｓｔｅｐ）
６３  端面（ｅｎｄ  ｆａｃｅｓ）
９１  ピン（ｐｉｎ）
９２  後端（ｒｅａｒ  ｅｎｄ）
９３  他端（ｏｔｈｅｒ  ｅｎｄ）
【図１】
0003235465.tif 000003
【図２】
0003235465.tif 000004
【図３】
0003235465.tif 000005
【図４】
0003235465.tif 000006
【図５】
0003235465.tif 000007
【図６】
0003235465.tif 000008
【図７】
0003235465.tif 000009
【図８】
0003235465.tif 000010
【図９】
0003235465.tif 000011
【図１０】
0003235465.tif 000012
【図１１】
0003235465.tif 000013
【図１２】
0003235465.tif 000014
【図１３】
0003235465.tif 000015